(57)【要約】【課題】パネル板の取付け及び取り外しが容易になされる壁構造を提案する。【解決手段】壁面Ｗに取付けられた壁部材３の前面にパネル板２が取付けられ、壁部材３はパネル板２の背面側に配置される背面板３１の上下端部が後方側に折曲されると共にさらにその先端部が前方側に折り返されて保持溝４、５が形成され、上下の保持溝４、５にパネル板２の上下部が差し込まれるようになされれば、パネル板２が比較的薄いものであっても、パネル板２が差し込まれる保持溝４、５の形成が容易であり、この上下の保持溝４、５によってパネル板２をしっかりと支えることができる。【選択図】        図１
2008202301.tif 000002
【特許請求の範囲】
【請求項１】
壁面に取付けられた壁部材の前面にパネル板が取付けられ、前記壁部材はパネル板の背面側に配置される背面板の上下端部が後方側に折曲されると共にさらにその先端部が前方側に折り返されて保持溝が形成され、前記上下の保持溝にパネル板の上下部が差し込まれていることを特徴とする壁構造。
【発明の詳細な説明】
【技術分野】
【０００１】
本発明は、建築物の壁面にパネル板が取付けられた壁構造に関するものであり。特に、パネル板が壁部材によって壁面に取付けられた壁構造に関するものである。
【背景技術】
【０００２】
一般に、住居やデパートや商店等の建築物において、その壁面には主に装飾用のパネル板が取付けられた壁構造が提案されている。パネル板の取付け方法としては、壁面に直接取付ける方法や、壁面に壁部材を取付け、この壁部材にパネル板を取付ける方法等が提案されており、またその取付手段としては、接着剤や粘着剤を用いて貼着させるものや、壁面側に蟻溝を設け、パネル板側にその形状に対応した突起を設けて側方からスライド係止させるものや、面ファスナーを介して取付けるもの等、様々な方法が提案されている。
【０００３】
そして、壁面に取付けられたパネル板の着脱を容易にするために、前面にタイル掛止用凸部を有した基板と、該凸部に掛止される凹部を裏面に有し、該凹部を該凸部に掛止させて該基板に取付けられたタイルとを有するタイル壁において、該タイルが弾性接着剤によって該基板に接着されており、該弾性接着剤の該基板への接着力は該タイルへの接着力よりも低いことを特徴とするタイル壁が提案されている（例えば、特許文献１参照。）。
【０００４】
このタイル壁は、弾性接着剤の基板への接着力はタイルへの接着力よりも低くなされているので、タイルを基板から取り外しやすくなり、タイルや基板を再利用しやすくするものである。
【特許文献１】特開２００４−２９３１０２号公報
【発明の開示】
【発明が解決しようとする課題】
【０００５】
しかしながら、前記のタイル壁には次のような問題点があった。すなわちタイルが弾性接着剤によって基板に接着されているため、長期間に亘り接着されていると、温度変化等により接着力の昂進が起こる場合があり、タイルの取り外しが困難になる虞れがあった。又、パネル板を同様な方法で取付ける際、一般的にパネル板はタイルと比べて剛性が低いため、壁面から取り外す時に、屈曲や変形等の不具合が起こる場合があり、特にパネル板の板厚が薄くなるほど不具合が起こりやすくなるため、その点が問題であった。
【０００６】
本発明は、前記の如き問題点を解消し、パネル板の取付け及び取り外しが容易になされる壁構造を提案せんとするものである。
【課題を解決するための手段】
【０００７】
上記目的を達成するために、本発明は次のような構成としている。
すなわちこの発明に係る壁構造は、壁面に取付けられた壁部材の前面にパネル板が取付けられ、前記壁部材はパネル板の背面側に配置される背面板の上下端部が後方側に折曲されると共にさらにその先端部が前方側に折り返されて保持溝が形成され、前記上下の保持溝にパネル板の上下部が差し込まれていることを特徴とするものである。
【発明の効果】
【０００８】
本発明によれば、壁部材はパネル板の背面側に配置される背面板の上下端部が後方側に折曲されると共にさらにその先端部が前方側に折り返されて保持溝が形成されているので、パネル板が比較的薄いものであっても、パネル板が差し込まれる保持溝の形成が容易であり、この上下の保持溝によってパネル板をしっかりと支えることができる。
【発明を実施するための最良の形態】
【０００９】
次に、本発明を実施するための最良の形態について図面を参照し、具体的に説明する。
【００１０】
すなわち、図１は本発明に係る壁構造の実施の一形態を示す部分斜視図、図２は本発明に係る壁構造の実施の一形態を示す縦断面、図３は壁構造の取付方法の一形態を示す説明図、図４は壁構造の他の実施形態を示す部分斜視図、図５は壁構造の取付方法の一形態を示す説明図、図６は壁構造の取付方法の一形態を示す説明図である。壁構造１は、パネル板２と、このパネル板２が取付けられる壁部材３とから主に構成され、壁部材３には、背面板３１の上下端に保持溝４、５が設けられると共に、この上下の保持溝４、５にパネル板２の上下部が差し込まれてなるものである。
【００１１】
パネル板２は、一般には板材の表面に装飾が施されたものであり、本形態では、鋼板の表面に装飾用の塗装が施されたものであるが、鋼板以外にアルミニウム合金や、ステンレス鋼等からなる金属板でもよく、ポリエチレン、ポリプロピレン、ポリカーボネート、アクリル樹脂、ＡＢＳ樹脂、ＡＡＳ樹脂、ポリ塩化ビニル樹脂等からなる合成樹脂板を用いてもよい。又、表面の装飾は、シート等を貼着させてもよく、板材の表面を直接処理して発色加工したものでもよいが、何も装飾しなく、板材をそのまま用いてもよい。そして、パネル板の厚さは、本形態では、０．３〜０．６ｍｍの比較的薄いものであるが、パネル板２の必要な剛性や強度に応じて、適宜使用することができる。
【００１２】
壁部材３には、一般的には、押出成型により成型された長尺体を適宜長さに切断して用いるものであり、図１、２に示すように、平板状に形成された背面板３１の上下端が後方側に曲折されて曲折部３２が設けられると共に、その曲折部３２の先端部が前面側に折り返されて折り返し部３３が設けられ、この曲折部３２と折り返し部３３とにより断面コ字状の保持溝４、５がそれぞれ形成されている。そして、図２の（ｂ）、（ｃ）に示すように、パネル板２の上下端が前記保持溝４、５に差し込まれた際、パネル板２の背面が背面板３１に当接されると共に、パネル板２の上下端の前面側が折り返し部３３の内面に当接され、パネル板２は壁部材３によって安定的に取付けられる。つまり、背面板３１の表面と折り返し部３３の先端の内面との距離Ｋとパネル板２の厚みとは同寸法が好ましいが、パネル板２と背面板３１又は折り返し部３３との間に、パネル板２が不用意に動かない程度の隙間が設けられてもよい。
【００１３】
又、図２の（ｂ）、（ｃ）に示すように、保持溝４、５の奥が広くなるように折り返し部３３の端部内面が傾斜して形成され、折り返し部３３の端部にパネル板２が当接するようになされてもよい。この際、パネル板２の厚さより前記の距離Ｋを小さくし、折り返し部３３によりパネル板２が曲折部３２側に向けて押圧するようにしてもよい。これにより、パネル板２は、背面板３１と折り返し部３３より挟持され、より安定的に取付けることができる。尚、前記傾斜面の変わりに、折り返し部３３の端部内面に突起等を設けることにより、前記と同様な効果を得ることができる。
【００１４】
折り返し部３３の先端は、折り曲げ部３２の折り曲げ基端３４の前方までは達しない程度となされている。これにより、折り曲げ部３２と折り返し部３３との隙間を十分確保することができるので、押出成型により形成する際に成型が容易となる。又、パネル板２が薄くなるほど、単なるコ字状の保持溝を形成する場合に比べて成型が比較的容易となると共に、寸法精度も高めやすくなる。そして、この構造により、パネル板２を取付ける際に、壁部材３の側面から差し込むのみでなく、壁部材３の前面側から、弓状に曲げたパネル板２の上下端部を上下の保持溝４、５に差し込むことによっても取付けることが可能となる。
【００１５】
曲折部３２は、後方側に向けて略垂直に曲折させてもよいが、本形態では、折り曲げ基端３４の角が円弧状に加工され後方側に向けて緩やかに曲折された傾斜面が形成されている。これにより、押出成型時の成型性を向上させることができる。
【００１６】
壁部材３は、本形態ではアルミニウム合金を押出成型によって一体的に成型されたものであり、パネル板２が差し込まれる保持溝４、５の剛性を高めることができるが、ＡＢＳ樹脂、ＡＡＳ樹脂、ポリカーボネート等を用いたものでもよく、金属板を適宜曲げ加工して形成したものでもよく、壁部材３に必要な強度、剛性等に応じて適宜使用することができる。
【００１７】
次に、壁面Ｗへの壁部材３の取付方法について詳しく説明する。図２の（ａ）に示すように、壁部材３の背面には、壁面Ｗに向けて延設された延設部３５が設けられ、この延設部３５の端部から壁面Ｗに沿って平板状の壁面固定部６が設けられている。そして、壁面固定部６の前面側から壁面Ｗ側に向けて取付ビスＡを取付けて、壁部材３を壁面Ｗに固定する。本形態では、延設部３５は上側の曲接部３２の上端から壁面に向けて延設されているが、特に限定されるものではなく、他の曲折部３２の箇所から延設されたものでもよく、或いは背面板３１から延設されたものでもよい。
【００１８】
壁面固定部６には、前面側に向けて断面倒Ｔ字状の連結部６１が設けられている。又、図２に示すように、壁部材２の下部には、下方に向けて開口し、その幅が連結部６１の先端部の横幅より大きくなされた連結溝３６が設けられ、図３に示すように、前記連結部６１の先端上部６２が連結溝３６に挿入され、もって壁部材３が壁面Ｗの垂直方向に連設可能となされている。又、連結部６１の先端下部６３は、上方に取付けられた壁部材３の下方の曲折部３２の背面側と当接するようになされており、この構造により、上方に取付けられた壁部材３が前後方向に不用意に移動しないようになされている。
【００１９】
上下に連設された壁部材３において、上方の壁部材３の保持溝５と、下方の壁部材３の保持溝４とは、略当接するような連結形態としてもよいが、図４に示すように、上下に配置された保持溝４、５との間に隙間を開けて設けることにより、連結部材６１の下方からこの保持溝４、５との間の隙間に亘って断面略Ｌ字状の係止溝３７が形成されるので、このＬ字状の係止溝３７に係止可能で物品を掛けるための掛止部材７を取付けてもよい。
【００２０】
壁部材３を壁面Ｗに取付ける際は、図１、３に示すように、より安定的に取付けるために、壁部材３の最下部の位置に、前記壁面固定部６と連結部６１と同様な形態を有するベース部材８を壁面Ｗに取付け、このベース部材７に壁部材３を取付ける形態でもよい。
【００２１】
又、連設された壁部材３の最上段においては、上方に露出する壁面固定部６と取付ビスＡとを隠蔽するために、最上段の壁部材３ａにおいて、壁面固定部６と取付ビスＡを隠蔽する構造としてもよい。すなわち、壁部材３ａの背面板３１ａの上端から壁面Ｗ側に折り曲げて延設部３５ａとすると共に、延設部３５ａの端部から上方に向けて壁面固定部６ａを設け、壁面固定部６ａの上端部を前面側に折り返して、折り返し部３３ａを設ける。そして、この延設部３５ａと前記折り返し箇所との間に形成された凹溝３８に、断面コ字状で上部の前面側に曲折部３２と同様な形態の曲折部３２ａを設けた被覆部材９を嵌合し、曲折箇所３２ａと折り返し部３３ａとからなる保持溝４ａを形成し、前記と同様にパネル板２を取付けられるようになされてもよい。
【００２２】
壁部材３にパネル板２を取付ける際は、図６に示すように、壁部材３の側面からパネル板２の上下端部をそれぞれ保持溝４、５に差し込んで取付ける。尚、パネル板２がある程度の可撓性を有するものであれば、パネル板２を弓状に撓ませ、壁部材３の前面側から前記パネル板２の上下端を保持溝４、５に差し込んで、パネル板２を取付けてもよい。
【産業上の利用可能性】
【００２３】
本発明は壁面を天井面として、天井面の壁構造としても適用することができる。個の場合、上記に説明した上端部は壁部材等の一端部、下端部は他の端部と読み替えて説明することができる。
【図面の簡単な説明】
【００２４】
【図１】本発明に係る壁構造の実施の一形態を示す部分斜視図である。
【図２】本発明に係る壁構造の実施の一形態を示す縦断面である。
【図３】壁構造の取付方法の一形態を示す説明図である。
【図４】壁構造の他の実施形態を示す説明図である。
【図５】壁構造の取付方法の一形態を示す説明図である。
【図６】壁構造の取付方法の一形態を示す説明図である。
【符号の説明】
【００２５】
１    壁構造
２    パネル板
３、３ａ  壁部材
３１、３１ａ  背面板
３２、３２ａ  曲折部
３３、３３ａ  折り返し部
３４  折り曲げ基端
３５、３５ａ  延設部
３６  連結溝
３７  係止溝
３８  凹溝
４    保持溝
５    保持溝
６、６ａ  壁面固定部
６１  連結部
７    掛止部材
８    ベース部材
９    被覆部材
【図１】
2008202301.tif 000003
【図２】
2008202301.tif 000004
【図３】
2008202301.tif 000005
【図４】
2008202301.tif 000006
【図５】
2008202301.tif 000007
【図６】
2008202301.tif 000008